【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
ブロードキャスト/マルチキャスト通信システムにおける呼告知応答に優先度を設定する方法であって、
ユーザ機器(UE)に第1の呼告知に対する応答の第1のランダム遅延を割り当てることに基づいて、応答の第1の優先度を確立するステップと、
前記第1のランダム遅延を使用して前記第1の呼告知に応答するステップと、
前記UEがマルチキャストエリアに存在する経過時間に基づいて、後続呼告知に対する応答の第2の優先度を判定するステップとを含み、
前記経過時間は、前記UEが前記マルチキャストエリアに入ったときにタイマーを開始することにより判定される、方法。
【請求項２】
前記第1の優先度は、各々が遅延範囲を有する2つの区分で割り当てられ、前記区分は、第1の区分および第2の区分を含む、請求項１に記載の方法。
【請求項３】
前記第1の区分は、0msから300msの遅延範囲を有するとともに、前記第2の区分は、600msから1000msの遅延範囲を有し、前記UEは、前記2つの区分のうち一方の中のランダム時間に割り当てられる、請求項２に記載の方法。
【請求項４】
前記第1の優先度は、アプリケーションサーバからリセット信号を受信した後に判定される、請求項１に記載の方法。
【請求項５】
前記第2の優先度を判定することは、
前記経過時間を複数のしきい値に分割するステップと、
各しきい値を超えたことに基づいて遅延時間区分を選択するステップと、
前記遅延時間区分内で第2のランダム時間を選択するステップとをさらに含む、請求項1に記載の方法。
【請求項６】
前記第2のランダム時間は、前記遅延時間区分内のランダムスロットとして判定される、請求項５に記載の方法。
【請求項７】
前記遅延時間区分は、前記経過時間が増大するのに伴って低減される、請求項５に記載の方法。
【請求項８】
前記UEが前記マルチキャストエリアの外にある場合、前記タイマーは短い持続時間にわたって停止される、請求項５に記載の方法。
【請求項９】
各しきい値を超えると、前記UEの第2の優先度が高まる、請求項５に記載の方法。
【請求項１０】
前記第1の呼告知を受信したユニキャストターゲットの指示がある場合に、オフセット遅延にわたって応答の前記第1のランダム遅延を遅延させるステップをさらに含む、請求項１に記載の方法。
【請求項１１】
前記オフセット遅延は、一往復のユニキャストメッセージ配信にかかる時間である、請求項１０に記載の方法。
【請求項１２】
前記オフセット遅延は500msである、請求項１１に記載の方法。
【請求項１３】
前記ユニキャストターゲットの前記指示は、ユニキャストターゲットのしきい値数が予測された後にのみ提供される、請求項１０に記載の方法。
【請求項１４】
前記ユニキャストターゲットの前記指示は、少なくとも1つのユニキャストターゲットが応答する確率に基づいて提供される、請求項１０に記載の方法。
【請求項１５】
前記第1の呼告知に対する第1の応答が受信されていることの肯定応答を受信するステップと、
前記肯定応答を受信した後に応答しないステップとをさらに含む、請求項１に記載の方法。
【請求項１６】
ブロードキャスト/マルチキャスト通信システムにおける呼告知応答に優先度を設定する装置であって、
ユーザ機器(UE)に第1の呼告知に対する応答の第1のランダム遅延をそれぞれ割り当てることに基づいて、応答の第1の優先度を確立するように構成されたロジックと、
前記第1のランダム遅延を使用して前記第1の呼告知に応答するように構成されたロジックと、
前記UEがマルチキャストエリアに存在する経過時間に基づいて、後続呼告知に対する応答の第2の優先度を判定するように構成されたロジックとを含み、
前記経過時間は、前記UEが前記マルチキャストエリアに入ったときにタイマーを開始することにより判定される、装置。
【請求項１７】
前記第1の優先度は、各々が遅延範囲を有する2つの区分で割り当てられ、前記区分は、第1の区分および第2の区分を含む、請求項１６に記載の装置。
【請求項１８】
前記第1の区分は、0msから300msの遅延範囲を有するとともに、前記第2の区分は、600msから1000msの遅延範囲を有し、前記UEは、前記2つの区分のうち一方の中のランダム時間に割り当てられる、請求項１７に記載の装置。
【請求項１９】
前記第1の優先度は、アプリケーションサーバからリセット信号を受信した後に判定される、請求項１６に記載の装置。
【請求項２０】
前記第2の優先度を判定するように構成されたロジックは、
前記経過時間を複数のしきい値に分割するように構成されたロジックと、
各しきい値を超えたことに基づいて遅延時間区分を選択するように構成されたロジックと、
前記遅延時間区分内で第2のランダム時間を選択するように構成されたロジックとをさらに含む、請求項１６に記載の装置。
【請求項２１】
前記第2のランダム時間は、前記遅延時間区分内のランダムスロットとして判定される、請求項２０に記載の装置。
【請求項２２】
前記遅延時間区分は、前記経過時間が増大するのに伴って低減される、請求項２０に記載の装置。
【請求項２３】
前記UEが前記マルチキャストエリアの外にある場合、前記タイマーは短い持続時間にわたって停止される、請求項２０に記載の装置。
【請求項２４】
各しきい値を超えると、前記UEの第2の優先度が高まる、請求項２０に記載の装置。
【請求項２５】
前記第1の呼告知を受信したユニキャストターゲットの指示がある場合に、オフセット遅延にわたって応答の前記第1のランダム遅延を遅延させるように構成されたロジックをさらに含む、請求項１６に記載の装置。
【請求項２６】
前記オフセット遅延は、一往復のユニキャストメッセージ配信にかかる時間である、請求項２５に記載の装置。
【請求項２７】
前記オフセット遅延は500msである、請求項２６に記載の装置。
【請求項２８】
前記ユニキャストターゲットの前記指示は、ユニキャストターゲットのしきい値数が予測された後にのみ提供される、請求項２５に記載の装置。
【請求項２９】
前記ユニキャストターゲットの前記指示は、少なくとも1つのユニキャストターゲットが応答する確率に基づいて提供される、請求項２５に記載の装置。
【請求項３０】
前記第1の呼告知に対する第1の応答が受信されていることの肯定応答を受信するように構成されたロジックと、
前記肯定応答を受信した後に応答しないように構成されたロジックとをさらに含む請求項１６に記載の装置。
【請求項３１】
ブロードキャスト/マルチキャスト通信システムにおける呼告知応答に優先度を設定する装置であって、
ユーザ機器(UE)に第1の呼告知に対する応答の第1のランダム遅延を割り当てることに基づいて、応答の第1の優先度を確立するように構成された手段と、
前記第1のランダム遅延を使用して前記第1の呼告知に応答するように構成された手段と、
前記UEがマルチキャストエリアに存在する経過時間に基づいて、後続呼告知に対する応答の第2の優先度を判定するように構成された手段とを含み、
前記経過時間は、前記UEが前記マルチキャストエリアに入ったときにタイマーを開始することにより判定される、装置。
【請求項３２】
ブロードキャスト/マルチキャスト通信システムにおける呼告知応答に優先度を設定するための持続性コンピュータ可読記録媒体であって、
ユーザ機器(UE)に第1の呼告知に対する応答の第1のランダム遅延を割り当てることに基づいて、応答の第1の優先度を確立するための少なくとも1つの命令と、
前記第1のランダム遅延を使用して前記第1の呼告知に応答するための少なくとも1つの命令と、
前記UEがマルチキャストエリアに存在する経過時間に基づいて、後続呼告知に対する応答の第2の優先度を判定するための少なくとも1つの命令とを含み、
前記経過時間は、前記UEが前記マルチキャストエリアに入ったときにタイマーを開始することにより判定される、持続性コンピュータ可読記録媒体。